(57)【要約】【課題】ワイヤレス電力伝送システムにおいて送電装置から受電装置へのデータ転送を簡易な構成で実現すること。【解決手段】ワイヤレス送電装置は、ワイヤレスにより送電を行う送電コイルと、外部から指令が入力される入力部と、前記入力部に入力された指令を送電オンのみにより表す出力パターン、又は、前記入力部に入力された指令を送電オフのみにより表す出力パターン、又は、前記入力部に入力された指令を送電オンと送電オフの両方により表す出力パターンを出力するパターン生成回路と、前記パターン生成回路から出力される送電オンにより前記送電コイルへ交流電力を供給し、且つ、前記パターン生成回路から出力される送電オフにより前記送電コイルへの交流電力の供給を停止する送電回路と、を備える。【選択図】図１
2019176643.tif 000002
【特許請求の範囲】
【請求項１】
ワイヤレスにより送電を行う送電コイルと、
外部から指令が入力される入力部と、
前記入力部に入力された指令を送電オンのみにより表す出力パターン、又は、前記入力部に入力された指令を送電オフのみにより表す出力パターン、又は、前記入力部に入力された指令を送電オンと送電オフの両方により表す出力パターンを出力するパターン生成回路と、
前記パターン生成回路から出力される送電オンにより前記送電コイルへ交流電力を供給し、且つ、前記パターン生成回路から出力される送電オフにより前記送電コイルへの交流電力の供給を停止する送電回路と、
を備えるワイヤレス送電装置。
【請求項２】
前記送電オンと送電オフの両方により表す出力パターンは、複数の種類が存在する、
請求項１に記載のワイヤレス送電装置。
【請求項３】
前記出力パターンは、所定の期間における送電オンと送電オフの組み合わせから成る、
請求項１又は２のいずれか１項に記載のワイヤレス送電装置。
【請求項４】
前記出力パターンは、送電オンの時間の長さ又は送電オフの時間の長さから成る、
請求項１から３のいずれか１項に記載のワイヤレス送電装置。
【請求項５】
前記パターン生成回路は、前記入力部に指令が入力されると、前記出力パターンを出力する前に所定期間送電オフになる開始パターンを出力する、
請求項１から４のいずれか１項に記載のワイヤレス送電装置。
【請求項６】
前記パターン生成回路は、前記出力パターンを出力した後に所定期間送電オフになる終了パターンを出力する、
請求項１から５のいずれか１項に記載のワイヤレス送電装置。
【請求項７】
請求項１から６のいずれか１項に記載のワイヤレス送電装置と、
前記ワイヤレス送電装置からの受電オンと受電オフを検出する検出回路を備えるワイヤレス受電装置と、
を備えるワイヤレス電力伝送システム。
【請求項８】
前記検出回路は、前記受電オンと前記受電オフに基づく制御値を出力する、
請求項７に記載のワイヤレス電力伝送システム。
【請求項９】
前記検出回路から出力される制御値に基づいて負荷の動作を制御する制御回路をさらに備える、
請求項８に記載のワイヤレス電力伝送システム。
【請求項１０】
前記検出回路から出力される制御値と比較される負荷の制御対象値を検出する制御対象検出回路と、
前記検出回路から出力される制御値と前記制御対象検出回路から出力される制御対象値との比較結果に基づいて負荷の動作を制御する制御回路と、
をさらに備える請求項８に記載のワイヤレス電力伝送システム。
【請求項１１】
前記ワイヤレス受電装置は、前記受電オンと前記受電オフに基づいて負荷への電力供給を制御する制御回路を備える、
請求項７に記載のワイヤレス電力伝送システム。
【請求項１２】
ワイヤレスにより受電を行う受電コイルと、
前記受電コイルが受電した交流電力を直流電力に変換して出力する整流平滑回路と、
前記受電コイルの受電オンと受電オフを検出する検出回路と、
を備えるワイヤレス受電装置。
【発明の詳細な説明】
【技術分野】
【０００１】
本発明は、ワイヤレス送電装置、ワイヤレス電力伝送システム及びワイヤレス受電装置に関する。
【背景技術】
【０００２】
ワイヤレスで電力を伝送するワイヤレス電力伝送システムにおいて送電装置と受電装置の間でデータを転送する技術が、例えば特許文献１に記載されている。特許文献１に記載される従来の技術では、送電装置から受電装置へのデータ転送時には、送電を行う送電装置のコイルに供給する交流電圧の周波数をデータに応じて変化させる。また、受電装置から送電装置へのデータ転送時には、受電装置が負荷変調を行うことにより送電装置のコイルの誘起電圧の振幅を変化させる。
【先行技術文献】
【特許文献】
【０００３】
【特許文献１】特開２００８−１７８１９５号公報
【発明の概要】
【発明が解決しようとする課題】
【０００４】
しかし、上述した従来の技術では、送電装置のコイルに供給する交流電圧の周波数をデータに応じて変化させる周波数変調の構成や受電装置の負荷変調の構成が複雑であり、装置の小型化やコストダウンを妨げる要因の一つになる可能性があった。
【０００５】
本発明は、このような事情を考慮してなされたものであり、ワイヤレス電力伝送システムにおいて送電装置から受電装置へのデータ転送を簡易な構成で実現できるワイヤレス送電装置、ワイヤレス電力伝送システム及びワイヤレス受電装置を提供することを課題とする。
【課題を解決するための手段】
【０００６】
本発明の一態様は、ワイヤレスにより送電を行う送電コイルと、外部から指令が入力される入力部と、前記入力部に入力された指令を送電オンのみにより表す出力パターン、又は、前記入力部に入力された指令を送電オフのみにより表す出力パターン、又は、前記入力部に入力された指令を送電オンと送電オフの両方により表す出力パターンを出力するパターン生成回路と、前記パターン生成回路から出力される送電オンにより前記送電コイルへ交流電力を供給し、且つ、前記パターン生成回路から出力される送電オフにより前記送電コイルへの交流電力の供給を停止する送電回路と、を備えるワイヤレス送電装置である。
【発明の効果】
【０００７】
本発明によれば、ワイヤレス電力伝送システムにおいて送電装置から受電装置へのデータ転送を簡易な構成で実現することができる。
【図面の簡単な説明】
【０００８】
【図１】第１実施形態に係るワイヤレス電力伝送システムの概略的な構成を示すブロック図である。
【図２】一実施形態に係る出力パターンの例を示す図である。
【図３】一実施形態に係る出力パターンの例を示す図である。
【図４】一実施形態に係る出力パターンの例を示す図である。
【図５】一実施形態に係る出力パターンの例を示す図である。
【図６】第２実施形態に係るワイヤレス電力伝送システムの概略的な構成を示すブロック図である。
【図７】第３実施形態に係るワイヤレス電力伝送システムの概略的な構成を示すブロック図である。
【図８】第４実施形態に係るワイヤレス電力伝送システムの概略的な構成を示すブロック図である。
【発明を実施するための形態】
【０００９】
以下、図面を参照し、本発明の実施形態について説明する。
【００１０】
［第１実施形態］
図１は、第１実施形態に係るワイヤレス電力伝送システムの概略的な構成を示すブロック図である。図１において、ワイヤレス電力伝送システム１は、ワイヤレス送電装置１０とワイヤレス受電装置３０とを備える。
【００１１】
（ワイヤレス送電装置）
図１に示されるワイヤレス送電装置１０は、変換回路１１と、送電回路１２と、送電コイル１３と、入力部１４と、パターン生成回路１５とを備える。ワイヤレス送電装置１０の外部入力電源として商用電源１００がワイヤレス送電装置１０に接続される。変換回路１１には、商用電源１００から所定の入力交流電圧が印加される。変換回路１１は、入力交流電圧を所定の直流電圧に変換する。送電回路１２は、変換回路１１から印加される直流電圧を、電力伝送周波数の交流電圧に変換する。送電回路１２は、例えば、変換回路１１から印加される直流電圧を電力伝送周波数の交流電圧に変換するインバータである。又は、送電回路１２は、変換回路１１から印加される直流電圧を所定の直流電圧に変圧するＤＣ／ＤＣコンバータと当該ＤＣ／ＤＣコンバータから印加される直流電圧を電力伝送周波数の交流電圧に変換するインバータとを含むものであってもよい。
【００１２】
電力伝送周波数の交流電圧が送電回路１２から送電コイル１３に印加されることにより、送電回路１２から送電コイル１３に交流電力が供給されて送電コイル１３によりワイヤレスで送電が行われる。一方、電力伝送周波数の交流電圧が送電回路１２から送電コイル１３に印加されないことにより、送電回路１２から送電コイル１３への交流電力の供給が停止されて送電コイル１３によるワイヤレスでの送電が停止される。
【００１３】
入力部１４には、ワイヤレス送電装置１０の外部から指令値が入力される。指令値は、指令を示す値である。指令値は、アナログ信号であってもよく、又は、デジタル信号であってもよい。
【００１４】
パターン生成回路１５は、出力パターンＡを出力する。出力パターンＡは、入力部１４に入力された指令値の指令を送電オンのみにより表す出力パターン、又は、入力部１４に入力された指令値の指令を送電オフのみにより表す出力パターン、又は、入力部１４に入力された指令値の指令を送電オンと送電オフの両方により表す出力パターンである。パターン生成回路１５は、出力パターンＡを生成する機能を有する。出力パターンＡは、指令値がそのまま表現されたものであってもよく、又は、パターン生成回路１５に予め定められた規則に従って指令値から変換されたものであってもよい。
【００１５】
送電回路１２は、パターン生成回路１５から出力される送電オンにより送電コイル１３へ交流電力を供給し、且つ、パターン生成回路１５から出力される送電オフにより送電コイル１３への交流電力の供給を停止する。したがって、出力パターンＡの送電オンでは送電回路１２から送電コイル１３へ交流電力が供給されて送電コイル１３によるワイヤレスでの送電が行われる、一方、出力パターンＡの送電オフでは送電回路１２から送電コイル１３への交流電力の供給が停止されて送電コイル１３によるワイヤレスでの送電が停止される。
【００１６】
（ワイヤレス受電装置）
図１に示されるワイヤレス受電装置３０は、受電コイル３１と、整流平滑回路３２と、検出回路３３とを備える。受電コイル３１は、ワイヤレス送電装置１０の送電コイル１３との間の電磁誘導作用によりワイヤレスで受電を行う。整流平滑回路３２は、受電コイル３１が受電した交流電力を直流電力に変換してワイヤレス受電装置３０の外部の負荷へ出力する。
【００１７】
検出回路３３は、受電コイル３１の受電オンと受電オフを検出する。検出回路３３が検出した受電オンと受電オフはワイヤレス送電装置１０の出力パターンＡに対応するので、当該受電オンと受電オフはワイヤレス送電装置１０に入力された指令を表すものである。これにより、ワイヤレス送電装置１０に入力された指令がワイヤレス受電装置３０に伝達される。
【００１８】
検出回路３３が検出した受電オンと受電オフは、ワイヤレス受電装置３０の内部の制御又はワイヤレス受電装置３０の外部の制御に使用することができる。検出回路３３は、受電オンと受電オフに基づく制御値を出力してもよい。ワイヤレス受電装置３０は、検出回路３３が出力した制御値を、ワイヤレス受電装置３０の外部の装置へ出力する出力部をさらに備えてもよい。ワイヤレス受電装置３０は、検出回路３３が出力した制御値に基づいて、ワイヤレス受電装置３０の内部を制御する制御回路をさらに備えてもよい。例えば、整流平滑回路３２の出力を変換する変換回路（例えばＤＣ／ＤＣコンバータ、ＤＣ／ＡＣインバータなど）が整流平滑回路３２と負荷との間に設けられており、制御回路は制御値に基づいて当該変換回路を制御してもよい。例えば、負荷を切り離すスイッチが整流平滑回路３２と負荷との間に設けられており、制御回路は制御値に基づいて当該スイッチを制御してもよい。
【００１９】
（出力パターン）
図２から図５を参照して、本実施形態に係る出力パターンの例を説明する。図２から図５に例示される出力パターンは、ハイレベル（Ｈ）が送電オフであり、ローレベル（Ｌ）が送電オンである。なお、その逆、つまり、ハイレベル（Ｈ）が送電オンであり、ローレベル（Ｌ）が送電オフであるように、出力パターンを定めてもよい。
図２から図５に例示される送電コイル１３の出力（送電コイル出力）は、出力パターンの送電オンのタイミングで送電が行われ、一方、出力パターンの送電オフのタイミングで送電が停止される。
【００２０】
図２に示される出力パターンは、図２中の番号「１」，「２」，「３」，「４」で示される４個の送電オン又は送電オフを含む。１個の送電オン又は送電オフの時間の長さは、予め定められた一定の長さである。
図２（１）の出力パターンの例では、「１：送電オン」，「２：送電オフ」，「３：送電オン」，「４：送電オン」である。図２（２）の出力パターンの例では、「１：送電オフ」，「２：送電オフ」，「３：送電オン」，「４：送電オフ」である。このように、本実施形態では、入力部１４に入力された指令値の指令を送電オンと送電オフの両方により表す出力パターンは、複数の種類が存在する。
【００２１】
図２（１）及び（２）においては、パターン生成回路１５は、入力部１４に指令値（指令）が入力されると、出力パターンＡを出力する前に所定期間送電オフになる開始パターン（Ｓｔａｒｔ）を出力する。なお、開始パターン（Ｓｔａｒｔ）は、無くてもよい。
【００２２】
開始パターン（Ｓｔａｒｔ）の有無は、ワイヤレス送電装置１０とワイヤレス受電装置３０の間で、予め共通に定められる。
開始パターン（Ｓｔａｒｔ）が有る場合、ワイヤレス受電装置３０の検出回路３３は、開始パターン（Ｓｔａｒｔ）を検出した時点から所定期間経過後に受電オンと受電オフの検出を開始する。
開始パターン（Ｓｔａｒｔ）が無い場合、出力パターンの最初は「１：送電オフ」に固定することにより、ワイヤレス受電装置３０の検出回路３３は「１：送電オフ」の検出により受電オンと受電オフの検出を開始する。
【００２３】
図３の例は、上記図２（１）の例に対して、さらに終了パターンを追加したものである。終了パターンは、出力パターンの終了を示すものである。パターン生成回路１５は、出力パターンＡを出力した後に所定期間送電オフになる終了パターンを出力する。
【００２４】
図３（１）の例では、終了パターンは、所定期間の送電オフのみから成る。図３（１）の例において終了パターンの送電オフの時間の長さは、予め定められた一定の長さであって、出力パターンの１個の送電オフの時間の長さと同じである。なお、終了パターンの送電オフの時間の長さと、出力パターンの送電オフの時間の長さとが異なっていてもよい。これにより、出力パターンの送電オフと終了パターンの送電オフとを容易に区別できる。
【００２５】
図３（２）の例では、終了パターンは、最初の所定期間の送電オンと次の所定期間の送電オフから成る。図３（２）の例において終了パターンの最初の送電オンの時間の長さは、予め定められた一定の長さであって、出力パターンの１個の送電オンの時間の長さと同じである。なお、終了パターンの最初の送電オンの時間の長さと、出力パターンの送電オンの時間の長さとが異なっていてもよい。これにより、出力パターンの送電オンと終了パターンの送電オンとを容易に区別できる。
【００２６】
終了パターンの有無は、ワイヤレス送電装置１０とワイヤレス受電装置３０の間で、予め共通に定められる。
終了パターンが有る場合、ワイヤレス受電装置３０の検出回路３３は、終了パターンを検出することにより、受電オンと受電オフの検出を終了する。一方、終了パターンが有る場合において、ワイヤレス受電装置３０の検出回路３３は、受電オンと受電オフの検出開始から所定期間経過しても終了パターンを検出しないときには、現在検出途中の受電オンと受電オフの検出結果を破棄する。
【００２７】
終了パターンが無い場合、図４に例示されるように、出力パターンの時間長の規定値（所定の期間）を定めてもよい。図４の例では、出力パターンは、所定の期間Ｔにおける送電オンと送電オフの組み合わせから成る。図４の例において、ワイヤレス受電装置３０の検出回路３３は、受電オンと受電オフの検出の時間長が規定値（所定の期間Ｔ）に達したことにより、受電オンと受電オフの検出を終了する。
【００２８】
なお、図４の例において終了パターンをさらに追加してもよい。図４の例において終了パターンをさらに追加する場合、受電オンと受電オフの検出の時間長が規定値（所定の期間Ｔ）に達した後に、終了パターンが検出されないときには、当該受電オンと受電オフの検出結果を破棄する。
【００２９】
また、終了パターンが無い場合の他の例として、出力パターンの送電オン又は送電オフの個数の規定値が、ワイヤレス送電装置１０とワイヤレス受電装置３０の間で、予め共通に定められてもよい。この場合、ワイヤレス受電装置３０の検出回路３３は、受電オン又は受電オフの個数が規定値に達したことにより、受電オンと受電オフの検出を終了する。
【００３０】
図５に示される出力パターンは、送電オンの時間の長さ又は送電オフの時間の長さから成る。
図５（１）及び（２）の例では、出力パターンは、送電オンの時間の長さから成る。図５（１）及び（２）の出力パターンの例では、ワイヤレス送電装置１０の入力部１４に入力された指令を、送電オンの時間の長さにより表す。これにより、図５（１）及び（２）の出力パターンの例では、ワイヤレス送電装置１０の入力部１４に入力される複数の異なる指令は、出力パターンの送電オンの時間の長さの違いにより区別される。
【００３１】
図５（３）及び（４）の例では、出力パターンは、送電オフの時間の長さから成る。図５（３）及び（４）の出力パターンの例では、ワイヤレス送電装置１０の入力部１４に入力された指令を、送電オフの時間の長さにより表す。これにより、図５（３）及び（４）の出力パターンの例では、ワイヤレス送電装置１０の入力部１４に入力される複数の異なる指令は、出力パターンの送電オフの時間の長さの違いにより区別される。
【００３２】
なお、図５の例において終了パターンをさらに追加してもよい。
【００３３】
上述した第１実施形態に係るワイヤレス送電装置１０は、ワイヤレスにより送電を行う送電コイル１３と、外部から指令が入力される入力部１４と、入力部１４に入力された指令を送電オンのみにより表す出力パターン、又は、入力部１４に入力された指令を送電オフのみにより表す出力パターン、又は、入力部１４に入力された指令を送電オンと送電オフの両方により表す出力パターンを出力するパターン生成回路１５と、パターン生成回路１５から出力される送電オンにより送電コイル１３へ交流電力を供給し、且つ、パターン生成回路１５から出力される送電オフにより送電コイル１３への交流電力の供給を停止する送電回路１２と、を備える。これにより、ワイヤレス送電装置１０に入力された指令を表す出力パターンに基づく送電の実行と送電の停止が行われるので、ワイヤレス送電装置１０に入力された指令を、送電の実行（送電オン）と送電の停止（送電オフ）のパターンによりワイヤレス受電装置３０へ伝達することができる。また、ワイヤレス送電装置１０の送電回路１２から送電コイル１３への交流電力の供給のオン（送電オン）とオフ（送電オフ）を切り替えるという簡易な構成により、ワイヤレス送電装置１０からワイヤレス受電装置３０への指令の伝達（データ転送）を実現できる。
【００３４】
上述した第１実施形態に係るワイヤレス受電装置３０は、ワイヤレスにより受電を行う受電コイル３１と、受電コイル３１が受電した交流電力を直流電力に変換して出力する整流平滑回路３２と、受電コイル３１の受電オンと受電オフを検出する検出回路３３と、を備える。これにより、ワイヤレス送電装置１０からの受電オンと受電オフを検出することができる。ワイヤレス送電装置１０からの受電オンと受電オフはワイヤレス送電装置１０の出力パターンに対応するので、当該受電オンと受電オフはワイヤレス送電装置１０に入力された指令を表すものである。したがって、ワイヤレス受電装置３０は、ワイヤレス送電装置１０に入力された指令を取得することができる。
【００３５】
上述したように第１実施形態に係るワイヤレス電力伝送システム１においてワイヤレス送電装置１０からワイヤレス受電装置３０へのデータ転送を簡易な構成で実現できるという効果が得られる。
なお、ワイヤレス送電装置１０の送電回路１２は、パターン生成回路１５から出力パターンＡが出力されている場合以外であって、ワイヤレス電力伝送システム１の電源がオンになっている場合には通常の送電動作を行う。
【００３６】
［第２実施形態］
図６は、第２実施形態に係るワイヤレス電力伝送システムの概略的な構成を示すブロック図である。図６において図１の各部に対応する部分には同一の符号を付け、その説明を省略する。図６に示されるワイヤレス電力伝送システム２は、図１に示されるワイヤレス電力伝送システム１に対して、さらに制御回路５０を追加したものである。
【００３７】
図６において、ワイヤレス受電装置３０の検出回路３３は、自己が検出した受電オンと受電オフに基づく制御値Ｂを出力する。受電オンと受電オフはワイヤレス送電装置１０に入力された指令を表すので、制御値Ｂはワイヤレス送電装置１０に入力された指令を表すものである。制御値Ｂは、ワイヤレス受電装置３０の出力部３４から制御回路５０へ出力される。制御値Ｂは、アナログ信号であってもよく、又は、デジタル信号であってもよい。
【００３８】
制御回路５０は、制御値Ｂに基づいて負荷の動作を制御する。例えば、負荷がモーターであり、ワイヤレス送電装置１０の入力部１４に入力される指令がモーターの正転又は逆転を指令するものである場合、制御回路５０は、制御値Ｂの指令「正転」又は「逆転」に従って、モーターの回転を制御する。
【００３９】
上述した第２実施形態に係るワイヤレス電力伝送システム２は、図１に示される第１実施形態に係るワイヤレス電力伝送システム１において、検出回路３３から出力される制御値Ｂに基づいて負荷の動作を制御する制御回路５０をさらに備える。これにより、ワイヤレス受電装置３０の検出回路３３が検出した受電オンと受電オフに基づく制御値Ｂに基づいて負荷の動作を制御することができる。また、上述した第１実施形態と同様に、ワイヤレス電力伝送システム２においてワイヤレス送電装置１０からワイヤレス受電装置３０へのデータ転送を簡易な構成で実現できるという効果が得られる。
【００４０】
なお、上述した第２実施形態では、ワイヤレス電力伝送システム２が制御回路５０を備えたが、制御回路５０は、ワイヤレス電力伝送システム２の外部の装置として設けられてもよい。
【００４１】
［第３実施形態］
図７は、第３実施形態に係るワイヤレス電力伝送システムの概略的な構成を示すブロック図である。図７において図１の各部に対応する部分には同一の符号を付け、その説明を省略する。図７に示されるワイヤレス電力伝送システム３は、図１に示されるワイヤレス電力伝送システム１に対して、さらに制御対象検出回路５２と制御回路５４を追加したものである。
【００４２】
図７において、ワイヤレス受電装置３０の検出回路３３は、自己が検出した受電オンと受電オフに基づく制御値Ｂを出力する。受電オンと受電オフはワイヤレス送電装置１０に入力された指令を表すので、制御値Ｂはワイヤレス送電装置１０に入力された指令を表すものである。制御値Ｂは、ワイヤレス受電装置３０の出力部３４から制御回路５４へ出力される。制御値Ｂは、アナログ信号であってもよく、又は、デジタル信号であってもよい。
【００４３】
制御対象検出回路５２は、制御値Ｂと比較される負荷の制御対象値を検出する。制御回路５４は、制御値Ｂと制御対象検出回路５２から出力される制御対象値Ｃとの比較結果に基づいて負荷の動作を制御する。例えば、負荷がヒーターであり、ワイヤレス送電装置１０の入力部１４に入力される指令がヒーターの設定温度を指令するものである場合、制御対象検出回路５２はヒーターの温度（制御対象値）を検出し、制御回路５４は、制御値Ｂの指令「設定温度」と制御対象検出回路５２から出力される制御対象値Ｃのヒーターの温度との比較結果に基づいて、ヒーターの温度が指令の設定温度になるように、ヒーターの動作を制御する。
【００４４】
上述した第３実施形態に係るワイヤレス電力伝送システム３は、図１に示される第１実施形態に係るワイヤレス電力伝送システム１において、検出回路３３から出力される制御値Ｂと比較される負荷の制御対象値を検出する制御対象検出回路５２と、検出回路３３から出力される制御値Ｂと制御対象検出回路５２から出力される制御対象値Ｃとの比較結果に基づいて負荷の動作を制御する制御回路５４と、をさらに備える。これにより、ワイヤレス受電装置３０の検出回路３３が検出した受電オンと受電オフに基づく制御値Ｂと、負荷の制御対象値Ｃとの比較結果に基づいて、負荷の動作を制御することができる。また、上述した第１実施形態と同様に、ワイヤレス電力伝送システム３においてワイヤレス送電装置１０からワイヤレス受電装置３０へのデータ転送を簡易な構成で実現できるという効果が得られる。
【００４５】
なお、上述した第３実施形態では、ワイヤレス電力伝送システム３が制御対象検出回路５２と制御回路５４を備えたが、制御対象検出回路５２と制御回路５４は、ワイヤレス電力伝送システム３の外部の装置として設けられてもよい。
【００４６】
［第４実施形態］
図８は、第４実施形態に係るワイヤレス電力伝送システムの概略的な構成を示すブロック図である。図８において図１の各部に対応する部分には同一の符号を付け、その説明を省略する。図８に示されるワイヤレス電力伝送システム４は、図１に示されるワイヤレス電力伝送システム１において、ワイヤレス受電装置３０に対して、さらに制御対象検出回路３５と制御回路３６と被制御回路３７とを追加したものである。
【００４７】
図８において、ワイヤレス受電装置３０の検出回路３３は、自己が検出した受電オンと受電オフに基づく制御値Ｂを制御回路３６へ出力する。受電オンと受電オフはワイヤレス送電装置１０に入力された指令を表すので、制御値Ｂはワイヤレス送電装置１０に入力された指令を表すものである。制御値Ｂは、アナログ信号であってもよく、又は、デジタル信号であってもよい。
【００４８】
制御対象検出回路３５は、制御値Ｂと比較される制御対象値を検出する。制御回路３６は、制御値Ｂと制御対象検出回路３５から出力される制御対象値Ｄとの比較結果に基づいて、被制御回路３７を制御する。この制御の例１、例２を以下に示す。
（例１）  例１の被制御回路３７は、整流平滑回路３２の出力を変換する変換回路（例えばＤＣ／ＤＣコンバータ、ＤＣ／ＡＣインバータなど）である。制御対象検出回路３５は、整流平滑回路３２の出力（例えば出力電圧）を検出し、当該検出値（制御対象値）Ｄを出力する。制御回路３６は、制御値Ｂと制御対象値Ｄとを比較し、当該比較結果に基づいて被制御回路３７の変換回路を制御する。被制御回路３７の変換回路が制御されることにより、負荷への電力供給が制御される。
（例２）  例２の被制御回路３７は、負荷を切り離すスイッチである。制御対象検出回路３５は、整流平滑回路３２の出力（例えば出力電圧）を検出し、当該検出値（制御対象値）Ｄを出力する。制御回路３６は、制御値Ｂと制御対象値Ｄとを比較し、当該比較結果に基づいて被制御回路３７のスイッチを制御する。被制御回路３７のスイッチがオフされることにより、負荷への電力供給が停止される。負荷は、例えば、二次電池である。
【００４９】
上述した第４実施形態に係るワイヤレス電力伝送システム４は、図１に示される第１実施形態に係るワイヤレス電力伝送システム１において、ワイヤレス受電装置３０が、検出回路３３から出力される制御値Ｂと比較される制御対象値を検出する制御対象検出回路３５と、検出回路３３から出力される制御値Ｂと制御対象検出回路３５から出力される制御対象値Ｄとの比較結果に基づいて負荷への電力供給を制御する制御回路３６と、をさらに備える。これにより、ワイヤレス受電装置３０の検出回路３３が検出した受電オンと受電オフに基づく制御値Ｂと、制御対象値Ｄとの比較結果に基づいて、負荷への電力供給を制御することができる。また、上述した第１実施形態と同様に、ワイヤレス電力伝送システム３においてワイヤレス送電装置１０からワイヤレス受電装置３０へのデータ転送を簡易な構成で実現できるという効果が得られる。
【００５０】
第４実施形態に係る制御回路３６は、受電オンと受電オフに基づいて負荷への電力供給を制御する制御回路に対応するものである。
【００５１】
なお、上述した第４実施形態では、ワイヤレス電力伝送システム４においてワイヤレス受電装置３０が制御対象検出回路３５と制御回路３６を備えたが、制御対象検出回路３５と制御回路３６は、ワイヤレス受電装置３０の外部の装置として設けられてもよく、さらには、制御対象検出回路３５と制御回路３６は、ワイヤレス電力伝送システム４の外部の装置として設けられてもよい。
【００５２】
以上、本発明の実施形態について図面を参照して詳述してきたが、具体的な構成はこの実施形態に限られるものではなく、本発明の要旨を逸脱しない範囲の設計変更等も含まれる。
【００５３】
例えば、上述した各装置（例えば、制御回路３６，５０，５４、制御対象検出回路３５，５２など）の機能を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００５４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５５】
１，２，３，４…ワイヤレス電力伝送システム、１０…ワイヤレス送電装置、１１…変換回路、１２…送電回路、１３…送電コイル、１４…入力部、１５…パターン生成回路、３０…ワイヤレス受電装置、３１…受電コイル、３２…整流平滑回路、３３…検出回路、３４…出力部、３６，５０，５４…制御回路、３５，５２…制御対象検出回路
【図１】
2019176643.tif 000003
【図２】
2019176643.tif 000004
【図３】
2019176643.tif 000005
【図４】
2019176643.tif 000006
【図５】
2019176643.tif 000007
【図６】
2019176643.tif 000008
【図７】
2019176643.tif 000009
【図８】
2019176643.tif 000010